(57)【要約】      （修正有）【課題】時計の文字盤部分にユーザーが希望する図柄を施した世界で唯一の時計であって、他人のものと差別化された魅力的な時計を製作する時計受注生産システムを提供する。【解決手段】時計受注生産システムは、ユーザー端末における操作に基づいて送信される、時計の文字盤部分に表示させることを希望する図柄情報及び前記時計の送り先情報を受け付ける図柄受付手段と、前記図柄受付手段によって受け付けた前記図柄情報を表示させた前記時計の文字盤を作成する文字盤作成手段と、前記文字盤作成手段によって作成された前記文字盤を構成要素として使用する時計を製造する時計製造手段と、前記時計製造手段によって製造された前記時計を前記送り先情報で指定される場所へ発送する処理を行う時計発送手段と、を有することを特徴とする。【選択図】図２
2017194728.tif 000002
【特許請求の範囲】
【請求項１】
ユーザー端末における操作に基づいて送信される、時計の文字盤部分に表示させることを希望する図柄情報及び前記時計の送り先情報を受け付ける図柄受付手段と、
前記図柄受付手段によって受け付けた前記図柄情報を表示させた前記時計の文字盤を作成する文字盤作成手段と、
前記文字盤作成手段によって作成された前記文字盤を構成要素として使用する時計を製造する時計製造手段と、
前記時計製造手段によって製造された前記時計を前記送り先情報で指定される場所へ発送する処理を行う時計発送手段と、を有することを特徴とする時計受注生産システム。
【請求項２】
前記文字盤作成手段が、前記時計の文字盤となる部品上に前記図柄情報を印刷することによって、前記時計の文字盤を作成することを特徴とする請求項１に記載の時計受注生産システム。
【請求項３】
前記時計の文字盤が、ディスプレー装置であることを特徴とする請求項１に記載の時計受注生産システム。
【請求項４】
前記時計が、
前記ユーザー端末から前記時計の文字盤に表示させる、前記図柄受付手段が受け付けた前記図柄情報とは異なる第２の図柄情報を受け付ける変更情報受付手段と、
前記図柄変更受付手段が受け付けた前記第２の図柄情報を、前記ディスプレー装置に表示させる図柄変更手段と、を有することを特徴とする請求項３に記載の時計受注生産システム。
【請求項５】
前記時計及び前記発送する処理に係る代金の決済を行う代金決済手段を有することを特徴とする請求項１に記載の時計受注生産システム。
【請求項６】
前記時計が、腕時計であることを特徴とする請求項１乃至５の何れか一に記載の時計受注生産システム。
【請求項７】
図柄受付手段が、ユーザー端末における操作に基づいて送信される、時計の文字盤部分に表示させることを希望する図柄情報及び前記時計の送り先情報を受け付けるステップと、
文字盤作成手段が、前記図柄受付手段によって受け付けた前記図柄情報を表示させた前記時計の文字盤を作成するステップと、
時計製造手段が、前記文字盤作成手段によって作成された前記文字盤を構成要素として使用する時計を製造するステップと、
時計発送手段が、前記時計製造手段によって製造された前記時計を前記送り先情報で指定される場所へ発送する処理を行うステップと、を含む時計受注生産方法。
【請求項８】
コンピュータに、請求項７に記載の方法を実行させるための時計受注生産プログラム。
【発明の詳細な説明】
【技術分野】
【０００１】
ユーザー希望の図柄を有する文字盤を備えた時計（特に、腕時計）の受注・生産を行うシステムの技術に関する。
【背景技術】
【０００２】
時計、特に腕時計は、ケース、文字盤、バンド等種々の部品で構成され、ファッションアイテムとして重要な役割を果たし、ケースの形状、文字盤の素材・色、バンドの形状・素材・色等によって製品毎に差別化が図られている。
また、他人の腕時計と差別化を図るため、ユーザー自身で、当初のバンドから自分の気に入ったバンドに交換すること等が行われている。
【発明の概要】
【発明が解決しようとする課題】
【０００３】
しかしながら、上記従来技術では、製品毎に差別化が行われているといえども、時計の文字盤部分は画一的なデザインであるため、面白みに欠け、他人のものとの差別化が難しいという問題点があった。つまり、洋服や靴等はファッションに合わせた、個人でのカスタムメイドが可能であるが、腕時計は技術的難易度の高さからバンドの交換程度に留まっており、ファッションとして全体的なコーディネートを行う上での不自由さが問題となっていた。
【０００４】
そこで本発明では、上記問題点に鑑み、時計の文字盤部分にユーザーが希望する図柄（デザイン、画像）を施した世界で唯一の時計であって、他人のものと差別化された魅力的な時計を製作する時計受注生産システムを提供することを目的とする。
また、自らの芸術作品等の表現の場としての文字盤を備える時計を製造する時計受注生産システムを提供することを目的とする。
【課題を解決するための手段】
【０００５】
開示する時計受注生産システムの一形態は、ユーザー端末における操作に基づいて送信される、時計の文字盤部分に表示させることを希望する図柄情報及び前記時計の送り先情報を受け付ける図柄受付手段と、前記図柄受付手段によって受け付けた前記図柄情報を表示させた前記時計の文字盤を作成する文字盤作成手段と、前記文字盤作成手段によって作成された前記文字盤を構成要素として使用する時計を製造する時計製造手段と、前記時計製造手段によって製造された前記時計を前記送り先情報で指定される場所へ発送する処理を行う時計発送手段と、を有することを特徴とする。
【０００６】
開示する時計受注生産システムの一形態は、上記構成に加え、前記文字盤作成手段が、前記時計の文字盤となる部品上に前記図柄情報を印刷することによって、前記時計の文字盤を作成することを特徴とする。
開示する時計受注生産システムの一形態は、上記構成に加え、前記時計の文字盤が、ディスプレー装置であることを特徴とする。
【０００７】
開示する時計受注生産システムの一形態は、上記構成に加え、前記時計が、前記ユーザー端末から前記時計の文字盤に表示させる、前記図柄受付手段が受け付けた前記図柄情報とは異なる第２の図柄情報を受け付ける変更情報受付手段と、前記図柄変更受付手段が受け付けた前記第２の図柄情報を、前記ディスプレー装置に表示させる図柄変更手段と、を有することを特徴とする。
開示する時計受注生産システムの一形態は、上記構成に加え、前記時計及び前記発送する処理に係る代金の決済を行う代金決済手段を有することを特徴とする。
開示する時計受注生産システムの一形態は、上記構成に加え、前記時計が、腕時計であることを特徴とする。
【発明の効果】
【０００８】
開示する時計受注生産システムは、時計の文字盤部分にユーザーが希望する図柄（デザイン、画像）を施した世界で唯一の時計であって、他人のものと差別化された魅力的な時計を製作する。
開示する時計受注生産システムは、自らの芸術作品等の表現の場としての文字盤を備える時計を製造する。
【図面の簡単な説明】
【０００９】
【図１】本実施の形態に係る時計受注生産システムの概要を説明する図である。
【図２】本実施の形態に係る時計受注生産システムの機能ブロック図である。
【図３】本実施の形態に係る時計の一例を示す図である。
【図４】本実施の形態に係る時計の一例を示す図である。
【図５】本実施の形態に係る時計受注生産システムのハードウエア構成例を示す図である。
【図６】本実施の形態に係る時計受注生産システムによる処理例の流れを示すフローチャートである。
【図７】本実施の形態に係る時計おける処理例の流れを示すフローチャートである。
【発明を実施するための形態】
【００１０】
図面を参照しながら、本発明を実施するための形態について説明する。
（本実施の形態に係る時計受注生産システムの動作原理）
【００１１】
図１乃至４を用いて、本実施の形態に係る時計受注生産システム（以下、単に「システム」という。）１００の動作原理について説明する。図１は、システム１００の概要を説明する図である。図２は、システム１００の機能ブロック図である。
【００１２】
図１で示すように、システム１００は、通信ネットワークを介してユーザー端末２７０と接続され、ユーザー端末２７０からオーダーメイドの時計２１０の製造発注を受け付ける。時計２１０は、腕時計であることが好適であるが、置時計でもその他形態の時計でも特に限定されない。システム１００は、ユーザー端末２７０から受け付けた発注内容に基づいて、ユーザー２８０が希望する図柄の文字盤２２０を備えた時計２１０を製造する。
【００１３】
図２で示すように、システム１００は、代金決済手段１１０、図柄受付手段１２０、文字盤作成手段１３０、時計製造手段１４０、時計発送手段１５０を有する。
【００１４】
代金決済手段１１０は、ユーザー２８０から製造の発注を受けた時計２１０に係る代金を決済する。代金決済手段１１０は、クレジットカード、銀行振込その他、資金決済の方法は特に限定されない。
【００１５】
図柄受付手段１２０は、ユーザー端末２７０から時計２１０の製造依頼を受け付けると共に、時計２１０の文字盤２２０に表示させる図柄情報２４０を受け付ける。図柄情報２４０とは、デザインや画像等、コンピュータが読み取り可能な情報であれば、内容は特に限定されない。また、図柄受付手段１２０は、システム１００が製造した時計２１０の納品先に関する情報２６０も受け付ける。
【００１６】
文字盤作成手段１３０は、図柄受付手段１２０が受け付けた図柄情報２４０を表示させた文字盤２２０を作成する。図３で示すように、文字盤２２０は、一般的な時計の文字盤（一度作成したら修正が自由にできない、表示が固定的な文字盤）であっても良い。図４で示すように、文字盤２２０は、所定の画像情報を表示するディスプレー装置２３０であっても良い。文字盤作成手段１３０は、文字盤２２０の大きさに合わせて、図柄受付手段１２０が受け付けた図柄情報２４０の大きさを適当に調整する。
【００１７】
文字盤作成手段１３０は、文字盤２２０が一般的な文字盤である場合、プリンタ等の印刷装置（３Ｄプリンタを含む）によって文字盤部品の上に図柄情報２４０を印刷して、文字盤２２０を作成する。
【００１８】
文字盤作成手段１３０は、文字盤２２０がディスプレー装置２３０である場合、ディスプレー装置２３０に図柄情報２４０を読み込ませ表示させる等して、文字盤２２０を作成する。
【００１９】
時計製造手段１４０は、文字盤作成手段１３０が作成した文字盤２２０を構成要素として使用する時計２１０を製造する。つまり、時計製造手段１４０は、文字盤作成手段１３０が作成した文字盤２２０を、時計２１０のその他部品の中に設置（配置）した時計２１０を製造する。
【００２０】
時計発送手段１５０は、時計製造手段１４０が製造した時計２１０を、ユーザー２８０の手許へ届けるための処理（発送処理）を行う。ユーザー２８０の手許とは、納品先に関する情報２６０で指定される住所である。発送処理とは、郵便や宅配便等で送るために必要な処理のことである。
【００２１】
このような処理を行うことによって、システム１００は、文字盤部分２２０にユーザー２８０が希望する図柄（デザイン、画像）２４０を施した世界で唯一の時計２１０であって、他人のものと差別化された魅力的な時計２１０を製作することができる。
【００２２】
また、このような処理を行うことによって、システム１００は、ユーザー２８０自らの芸術作品等の表現の場としての文字盤２２０を備える時計２１０を製造することができる。
一方、文字盤２２０としてディスプレー装置２３０を備える時計２１０は、変更情報受付手段１６０、図柄変更手段１７０を有する。
【００２３】
変更情報受付手段１６０は、ユーザー端末２７０から文字盤２２０に表示させる図柄情報であって、当初受け付けた図柄情報２４０とは異なる図柄情報である第２の図柄情報２５０を受け付ける。図柄情報２５０とは、デザインや画像等、コンピュータが読み取り可能な情報であれば、内容は特に限定されない。
図柄変更手段１７０は、変更情報受付手段１６０が受け付けた第２の図柄情報２５０を、ディスプレー装置２３０に表示させる。
このような処理を行うことによって、時計２１０は、文字盤２２０の図柄情報２４０、２５０を自由かつ手軽に変更することができる。
（本実施の形態に係る時計受注生産システムのハードウエア構成）
【００２４】
図５を用いて、システム１００のハードウエア構成例について説明する。図５は、システム１００のハードウエア構成の一例を示す図である。図５で示すように、システム１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入出力装置４６０、時計製造装置４７０、記録媒体Ｉ／Ｆ４８０を有する。
【００２５】
ＣＰＵ４１０は、ＲＯＭ４２０に記憶されたプログラムを実行する装置であり、ＲＡＭ４３０に展開（ロード）されたデータを、プログラムの命令に従って演算処理し、システム１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００２６】
補助記憶装置４４０は、基本ソフトウエアであるＯＳ（Operating System）や本実施の形態に係るアプリケーションプログラムなどを、関連するデータとともに記憶する装置である。補助記憶装置４４０は、例えば、ＨＤＤ（Hard Disc Drive）やフラッシュメモリなどである。
【００２７】
通信Ｉ／Ｆ４５０は、有線・無線ＬＡＮ（Local Area Network）、インターネットなどの通信ネットワークに接続し、通信機能を提供する他装置とデータの授受を行うためのインターフェースである。
【００２８】
入出力装置４６０は、キーボードなどシステム１００にデータ入力を行うための入力装置を含み、また、ＬＣＤ（Liquid Crystal Display）等で構成される装置であって、システム１００が有する機能をユーザーが利用する際や各種設定を行う際のユーザーインターフェースとして機能する出力装置を含む。
【００２９】
時計製造装置４７０は、ケース、文字盤、バンド等の所定の部品を組み立てることによって、時計２１０を製造する装置である。時計製造装置４７０は、文字盤２２０上に、図柄情報２４０を印刷する機能を有する。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００３０】
システム１００が有する各手段は、ＣＰＵ４１０が、ＲＯＭ４２０又は補助記憶装置４４０に記憶された各手段に対応するプログラムを実行することにより実現される形態としても良い。また、システム１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、システム１００に当該プログラムを実行させる形態としても良い。
（本実施の形態に係る時計のハードウエア構成）
【００３１】
文字盤２２０としてディスプレー装置２３０を備える時計２１０のハードウエア構成例について説明する。時計２１０は、ＣＰＵ、ＲＯＭ、ＲＡＭ、補助記憶装置、通信Ｉ／Ｆ、入力装置、出力装置、記録媒体Ｉ／Ｆを有する。
【００３２】
ＣＰＵは、ＲＯＭに記憶されたプログラムを実行する装置であり、ＲＡＭに展開（ロード）されたデータを、プログラムの命令に従って演算処理し、時計２１０全体を制御する。ＲＯＭは、ＣＰＵが実行するプログラムやデータを記憶している。ＲＡＭは、ＣＰＵでＲＯＭに記憶されたプログラムを実行する際に、実行するプログラムやデータが展開（ロード）され、演算の間、演算データを一時的に保持する。
【００３３】
補助記憶装置は、基本ソフトウエアであるＯＳや本実施の形態に係るアプリケーションプログラムなどを、関連するデータとともに記憶する装置である。補助記憶装置は、例えば、フラッシュメモリなどである。通信Ｉ／Ｆは、有線・無線ＬＡＮ、インターネットなどの通信ネットワークに接続し、通信機能を提供する他装置とデータの授受を行うためのインターフェースである。
【００３４】
入力装置は、時計２１０にデータ入力を行うための装置である。出力装置は、ＬＣＤ等で構成される表示装置であって、時計２１０が有する機能をユーザーが利用する際や各種設定を行う際のユーザーインターフェースとして機能する装置である。出力装置は、ディスプレー装置２３０を含む。記録媒体Ｉ／Ｆは、ＳＤカードなどの記録媒体とデータの送受信を行うためのインターフェースである。
【００３５】
時計２１０が有する各手段は、ＣＰＵが、ＲＯＭ又は補助記憶装置に記憶された各手段に対応するプログラムを実行することにより実現される形態としても良い。また、時計２１０が有する各手段は、当該各手段に関する処理をハードウエアとして実現される形態としても良い。また、通信Ｉ／Ｆを介して外部サーバー装置から本発明に係るプログラムを読み込ませたり、記録媒体Ｉ／Ｆを介して記録媒体から本発明に係るプログラムを読み込ませたりして、時計２１０に当該プログラムを実行させる形態としても良い。
（本実施の形態に係る時計受注生産システムによる処理例）
【００３６】
図６を用いて、システム１００による時計受注生産処理の一例について説明する。図６は、システム１００による時計受注生産処理の一例についてその流れを示すフローチャートである。
【００３７】
Ｓ１０で図柄受付手段１２０が、ユーザー端末２７０から時計２１０の製造依頼を受け付けると共に、時計２１０の文字盤２２０に表示させる図柄情報２４０を受け付ける。図柄情報２４０とは、デザインや画像等、コンピュータが読み取り可能な情報であれば、内容は特に限定されない。また、図柄受付手段１２０は、システム１００が製造した時計２１０の納品先に関する情報２６０も受け付ける。
【００３８】
なお、Ｓ１０において代金決済手段１１０が、図柄受付手段１２０が発注を受けた時計２１０に係る代金を決済する形態としても良い。代金決済手段１１０は、クレジットカード、銀行振込その他、資金決済の方法は特に限定されない。
【００３９】
Ｓ２０で文字盤作成手段１３０が、Ｓ１０において受け付けた図柄情報２４０を表示させた文字盤２２０を作成する。図３で示すように、文字盤２２０は、一般的な時計の文字盤（自由に修正ができない、表示が固定的な文字盤）であっても良く、図４で示すように、所定の画像情報を表示するディスプレー装置２３０であっても良い。なお、文字盤作成手段１３０は、文字盤２２０の大きさに合わせて、Ｓ１０において受け付けた図柄情報２４０の大きさを適当に調整する。
【００４０】
文字盤２２０が一般的な文字盤である場合、Ｓ２０において文字盤作成手段１３０は、プリンタ等の印刷装置（３Ｄプリンタを含む）によって文字盤部品の上に図柄情報２４０を印刷して、文字盤２２０を作成する。
【００４１】
文字盤２２０がディスプレー装置２３０である場合、Ｓ２０において文字盤作成手段１３０は、ディスプレー装置２３０に図柄情報２４０を読み込ませ表示させる等して、文字盤２２０を作成する。
【００４２】
Ｓ３０で時計製造手段１４０が、Ｓ２０において作成された文字盤２２０を構成要素として使用する時計２１０を製造する。つまり、時計製造手段１４０は、Ｓ２０において作成した文字盤２２０を、時計２１０のその他部品の中に設置（配置）した時計２１０を製造する。
【００４３】
Ｓ４０で時計発送手段１５０が、Ｓ３０において製造した時計２１０を、ユーザー２８０の手許へ届けるための処理（発送処理）を行う。ユーザー２８０の手許とは、納品先に関する情報２６０で指定される住所である。発送処理とは、郵便や宅配便等で送るために必要な処理のことである。
【００４４】
このような処理を行うことによって、システム１００は、文字盤部分２２０にユーザー２８０が希望する図柄（デザイン、画像）２４０を施した世界で唯一の時計２１０であって、他人のものと差別化された魅力的な時計２１０を製作することができる。
【００４５】
また、このような処理を行うことによって、システム１００は、ユーザー２８０自らの芸術作品等の表現の場としての文字盤２２０を備える時計２１０を製造することができる。
（本実施の形態に係る時計における処理例）
【００４６】
図７を用いて、時計２１０による図柄変更処理の一例について説明する。図７は、時計２１０による図柄変更処理の一例についてその流れを示すフローチャートである。なお、時計２１０による図柄変更処理は、時計２１０が、文字盤２２０としてディスプレー装置２３０を備える場合に適用される処理である。
【００４７】
Ｓ１１０で変更情報受付手段１６０が、ユーザー端末２７０から文字盤２２０に表示させる図柄情報であって、当初受け付けた図柄情報２４０とは異なる図柄情報である第２の図柄情報２５０を受け付ける。図柄情報２５０とは、デザインや画像等、コンピュータが読み取り可能な情報であれば、内容は特に限定されない。
Ｓ１２０で図柄変更手段１７０が、Ｓ１１０において受け付けた第２の図柄情報２５０を、ディスプレー装置２３０に表示させる。
このような処理を行うことによって、時計２１０は、文字盤２２０の図柄情報２４０、２５０を自由かつ手軽に変更することができる。
【００４８】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４９】
１００  時計受注生産システム
１１０  代金決済手段
１２０  図柄受付手段
１３０  文字盤作成手段
１４０  時計製造手段
１５０  時計発送手段
１６０  変更情報受付手段
１７０  図柄変更手段
２１０  時計（腕時計）
２２０  時計の文字盤部分
２３０  ディスプレー装置（文字盤部分）
２４０  図柄情報
２５０  第２の図柄情報
２６０  時計の送り先情報
２７０  ユーザー端末
２８０  ユーザー
４１０  ＣＰＵ
４２０  ＲＯＭ
４３０  ＲＡＭ
４４０  補助記憶装置
４５０  通信インターフェース
４６０  入力装置
４７０  出力装置
４８０  記録媒体インターフェース
４９０  記録媒体
【図１】
2017194728.tif 000003
【図２】
2017194728.tif 000004
【図３】
2017194728.tif 000005
【図４】
2017194728.tif 000006
【図５】
2017194728.tif 000007
【図６】
2017194728.tif 000008
【図７】
2017194728.tif 000009